(57)【要約】【課題】狭い領域にキーが密集していても一度触れた部分の周辺を拡大表示することで誤操作を低減する使い勝手の良いタッチパネル装置の操作処理方法を提供することである。【解決手段】各種操作に対応した複数のキーを表示する表示部の表面がタッチパネルで構成されたタッチパネル装置の操作処理方法において、１画面に複数のキーを配列する第１ステップと、１つのキーにタッチされた場合、該キーと該キーに隣接するキーとを拡大する第２ステップと、複数のキーにタッチされた場合、それらのキーを拡大する第３ステップと、前記タッチパネルのキー以外の場所にタッチされた場合、タッチされた場所から最も近いキーを拡大する第４ステップと、を含むものとする。【選択図】図５
2010039614.tif 000002
【特許請求の範囲】
【請求項１】
各種操作に対応した複数のキーを表示する表示部の表面がタッチパネルで構成されたタッチパネル装置の操作処理方法において、
１画面に複数のキーを配列する第１ステップと、
１つのキーにタッチされた場合、該キーと該キーに隣接するキーとを拡大する第２ステップと、
複数のキーにタッチされた場合、それらのキーを拡大する第３ステップと、
前記タッチパネルのキー以外の場所にタッチされた場合、タッチされた場所から最も近いキーを拡大する第４ステップと、を含むことを特徴とする操作処理方法。
【請求項２】
前記第２ステップにおいて拡大する際、タッチされたキーは他のキーと異なる色で表示することを特徴とする請求項１記載の操作処理方法。
【請求項３】
前記第２ステップにおいて、タッチされたキーと該キーに隣接するキーとを含む第１の所定数のキーを拡大することを特徴とする請求項１又は２記載の操作処理方法。
【請求項４】
前記第３ステップにおいて、タッチされた複数のキーを含む第２の所定数のキーを拡大することを特徴とする請求項１〜３の何れかに記載の操作処理方法。
【請求項５】
前記第４ステップにおいて、タッチされた場所から最も近いキーを含む第３の所定数のキーを拡大することを特徴とする請求項１〜４の何れかに記載の操作処理方法。
【請求項６】
請求項１〜５の何れかに記載の操作処理方法を備えたタッチパネル装置。
【発明の詳細な説明】
【技術分野】
【０００１】
本発明は、各種操作に対応した複数のキーを表示する表示部の表面がタッチパネルで構成されたタッチパネル装置及びその操作処理方法に関する。
【背景技術】
【０００２】
近年、画像形成装置をはじめ様々な装置にタッチパネルが採用されている。タッチパネルでは任意のキーを任意の大きさで任意に配置できるという特徴がある。一方、パネル上にキーを表示するので操作性が悪いというタッチパネル特有の問題もある。そのため、操作性を向上させる様々な技術が提案されている。
【０００３】
例えば、特許文献１には、スイッチの表示の直上だけでなく、視線方向の領域に反応領域を拡大する画面タッチ式入力装置が開示されている。具体的には、運転者の位置などから操作者の位置を特定し、ディスプレイを左下から見ている場合に、視線の手前側に当たるスイッチの右、下方向に反応領域を拡大するものである。これによって、斜めから見た場合および正面から見た場合の両方において、操作性が改善できるとしている。
【０００４】
また特許文献２には、表示装置の表示画面の前面に取り付けられたタッチパネル上を周期的に検出し、オペレータがタッチした座標を求めるタッチパネル制御部と、表示装置に対する図や文字表示を制御する演算処理装置を設け、演算処理装置には、予めボタンを仮に選択するための第１の領域と、第１の領域より広い第２の領域を各ボタンについて割り当てておき、タッチパネル制御部からのタッチデータが第１の領域内にある場合にボタンを仮選択し、指がタッチパネルから離れた時点の座標データが第２の領域内にある場合にボタンの選択を確定するタッチパネル装置が開示されている。
【特許文献１】特開平８−９５７０８号公報
【特許文献２】特開平１１−１７５２１２号公報
【発明の開示】
【発明が解決しようとする課題】
【０００５】
しかしながら、特許文献１では、狭い領域にキーが密集していた場合、反応領域を拡大することができない。そのため誤操作が多くなるという問題がある。これは限られた大きさのパネルに多数のキーを配置することになるキーボード配列のタッチパネルに多い問題であり、パスワードの入力などに支障を来す。一般的に、パスワードを入力する際は入力した文字が非表示になっており、入力文字を確認できない。また特許文献２では、認識できない領域に触れたときに正しく認識できないという問題がある。
【０００６】
本発明は、狭い領域にキーが密集していても一度触れた部分の周辺を拡大表示することで誤操作を低減する使い勝手の良いタッチパネル装置及びその操作処理方法を提供することを目的とする。
【課題を解決するための手段】
【０００７】
上記目的を達成するために本発明は、各種操作に対応した複数のキーを表示する表示部の表面がタッチパネルで構成されたタッチパネル装置の操作処理方法において、１画面に複数のキーを配列する第１ステップと、１つのキーにタッチされた場合、該キーと該キーに隣接するキーとを拡大する第２ステップと、複数のキーにタッチされた場合、それらのキーを拡大する第３ステップと、前記タッチパネルのキー以外の場所にタッチされた場合、タッチされた場所から最も近いキーを拡大する第４ステップと、を含むことを特徴とする。
【０００８】
この構成によると、タッチされた場所を検出して、ユーザが所望するキーを含むようにキーを拡大して表示する。
【０００９】
また、前記第２ステップにおいて拡大する際、タッチされたキーは他のキーと異なる色で表示することが望ましい。これにより、ユーザはどのキーにタッチしたか視認することができる。
【００１０】
また、前記第２ステップにおいて、タッチされたキーと該キーに隣接するキーとを含む第１の所定数のキーを拡大することが望ましい。ユーザが所望するキーを確実に拡大表示するためである。
【００１１】
また、前記第３ステップにおいて、タッチされた複数のキーを含む第２の所定数のキーを拡大することが望ましい。ユーザが所望するキーを確実に拡大表示するためである。
【００１２】
また、前記第４ステップにおいて、タッチされた場所から最も近いキーを含む第３の所定数のキーを拡大することが望ましい。ユーザが所望するキーを確実に拡大表示するためである。
【００１３】
また、本発明のタッチパネル装置は、上記の何れかの操作処理方法を備えた構成とする。
【発明の効果】
【００１４】
本発明によれば、狭い領域にキーが密集していても一度触れた部分の周辺を拡大表示することで、ユーザは大きなキーにタッチすればよくなるので、誤操作を低減し、使い勝手を良くすることができる。また、キーが拡大表示されるので、見やすくなるという効果もある。
【発明を実施するための最良の形態】
【００１５】
以下、本発明の実施形態について図１〜１１を参照しつつ説明する。ここで、本発明は、タッチパネル装置を用いる各種機器に適用可能であるが、以下ではコピー機能、プリンタ機能、ＦＡＸ機能、スキャン機能を備えた画像形成装置の複合機１を例に挙げて説明する。但し、本実施形態に記載されている構成、配置等の各要素は、発明の範囲を限定するものではなく単なる説明例にすぎない。
【００１６】
まず、図１に基づき、本発明の実施形態に係る複合機１の概略について説明する。図１は、本発明の実施形態に係る複合機１の模型的正面断面図である。
【００１７】
図１に示すように、本実施形態の複合機１は、最上部に原稿搬送装置３ａを有し、複合機１本体には、操作パネル２、原稿読取部３ｂ、用紙供給部４ａ、用紙搬送路４ｂ、画像形成部５ａ、定着部５ｂ等が設けられる。
【００１８】
前記原稿搬送装置３ａは、原稿の複写時、複数の原稿搬送ローラ対３１の回転駆動により、原稿載置トレイ３２に積載された原稿を１枚ずつ、自動的、連続的に、原稿読取部３ｂの読み取り位置に向けて搬送する。前記原稿読取部３ｂは、原稿を読み取り、原稿の画像データを形成する。原稿読取部３ｂの上面には、コンタクトガラス３３が設けられ、又、原稿読取部３ｂ内には露光ランプ、ミラー、レンズ、イメージセンサ（例えば、ＣＣＤ）等の光学系部材（不図示）が設けられる。
【００１９】
そして、この光学系部材を用い、原稿搬送装置３ａが搬送する原稿や、コンタクトガラス３３に載置される原稿に光を照射し、その原稿の反射光を受けたイメージセンサの各画素の出力値をＡ／Ｄ変換し、画像データを生成し、複合機１は、読み取りにより得られた画像データに基づき印刷を行うことができる（コピー機能）。尚、原稿搬送装置３ａは、図１の紙面奥側に支点が設けられ持ち上げ可能であり、コンタクトガラス３３に原稿を載置した後、原稿搬送装置３ａで原稿を押さえる。
【００２０】
前記用紙供給部４ａは、複数の用紙（例えば、コピー用紙、普通紙、再生紙、厚紙、ＯＨＰシート等の各種シート）を収容し、１枚ずつ用紙搬送路４ｂに送り込む。用紙供給部４ａは、収納用紙が載置されるカセット４１、カセット４１から用紙搬送路４ｂに送り出すため回転駆動する給紙ローラ４２等を備える。例えば、印刷時には、給紙ローラ４２が回転駆動し、画像形成に必要となる用紙が１枚ずつ用紙搬送路４ｂに送り出される。
【００２１】
前記用紙搬送路４ｂは、用紙供給部４ａから排出トレイ４３まで用紙を搬送する。尚、用紙搬送経路上には画像形成部５ａ、定着部５ｂ等が配される。そして、用紙搬送路４ｂには、用紙の案内のためのガイド４４や、用紙搬送の際に回転駆動する搬送ローラ対４５や、搬送されてくる用紙を画像形成部５ａの手前で待機させ、トナー像形成のタイミングを合わせて用紙を送り出すレジストローラ対４６等が設けられる。
【００２２】
前記画像形成部５ａは、画像データに基づきトナー像を形成し、搬送される用紙にトナー像を転写する。そのため、画像形成部５ａは、図１中に示す矢印方向に回転駆動可能に支持された感光体ドラム５１、及び、感光体ドラム５１の周囲に配設された帯電装置５２、レーザ走査ユニット５３、現像装置５４、転写ローラ５５、清掃装置５６等を備える。
【００２３】
トナー像形成及び転写プロセスを説明すると、画像形成部５ａの略中心に設けられ、所定方向に回転駆動する感光体ドラム５１は、図１において、感光体ドラム５１の右斜め上方に設けられる帯電装置５２によって所定電位に帯電させられる。レーザ走査ユニット５３は、図１において、帯電装置５２の右側方に設けられ、画像データに基づき、レーザ光Ｌをから出力し、感光体ドラム５１表面を走査露光して画像データに応じた静電潜像を形成する。尚、画像データは、原稿読取部３ｂで得られた画像データや、ネットワーク等により接続されるユーザ端末１００や相手方ＦＡＸ装置２００（図２参照）から送信された画像データ等が用いられる。そして、図１において、感光体ドラム５１の右斜め下方に設けられる現像装置５４は、感光体ドラム５１に形成された静電潜像にトナーを供給して現像する。感光体ドラム５１の左方に設けられる転写ローラ５５は感光体ドラム５１に圧接し、ニップが形成される。そして、トナー像にあわせタイミングを図られつつ、用紙はニップに進入する。用紙進入時、転写ローラ５５には所定の電圧が印加され、用紙に感光体ドラム５１上のトナー像が転写される。清掃装置５６は、転写後に感光体ドラム５１に残留するトナーを除去する。
【００２４】
前記定着部５ｂは、用紙に転写されたトナー像を定着させる。本実施形態における定着部５ｂは、主として発熱体を内蔵する加熱ローラ５７と加圧ローラ５８で構成される。加熱ローラ５７と加圧ローラ５８は圧接しニップを形成する。そして、用紙が、このニップを通過することで、用紙表面のトナーが溶融・加熱され、トナー像が用紙に定着する。トナー定着後の用紙は、排出トレイ４３が受け止める。このようにして、コピー機能、プリンタ機能の利用時、画像形成（印刷）が行われる。
【００２５】
次に、図２に基づき、本発明の実施形態に係る複合機１のハードウェア構成について説明する。図２は、本発明の実施形態に係る複合機１の構成の一例を示すブロック図である。
【００２６】
複合機１内には、制御部８が設けられ、制御部８は、複合機１の動作を制御し、例えば、ＣＰＵ８１、記憶部８２、画像処理部８３等から構成される。
【００２７】
ＣＰＵ８１は、中央演算処理装置であって、記憶部８２に格納され、展開される制御プログラムに基づき複合機１の各部を制御する。尚、ＣＰＵ８１以外に、操作パネル２の表示制御用のＣＰＵが操作パネル２等に設けられても良い。画像処理部８３は、印刷を行う画像データや、ユーザ端末１００や相手方のＦＡＸ装置２００に送信される画像データに対し、各種画像処理を施す。
【００２８】
記憶部８２は、ＲＯＭ、ＲＡＭ、ＨＤＤ等の不揮発性と揮発性の記憶装置を組み合わせて構成される。この記憶部８２には、複合機１の制御用プログラム、制御用データ、設定データ、画像データ等の各種データを記憶できる。また、各機能のチュートリアルを表示する操作ガイドも記憶される。また、画像形成装置の状態であるジャム率、トナー残量、用紙残量なども必要に応じて記憶できる。
【００２９】
そして、制御部８は、操作パネル２、原稿搬送装置３ａ、原稿読取部３ｂ、用紙供給部４ａ、用紙搬送路４ｂ、画像形成部５ａ、定着部５ｂ等の各部と信号線等で接続され、複合機１の動作を制御する。
【００３０】
更に、制御部８は、各種コネクタ、ソケット等を備えたＩ／Ｆ部８４（インターフェイス部）と接続される。Ｉ／Ｆ部８４は、ネットワークや公衆回線等により複数のユーザ端末１００や相手方のＦＡＸ装置２００と接続され、例えば、画像データをユーザ端末１００や相手方ＦＡＸ装置２００（インターネットＦＡＸでもよい）に送信することができる（スキャナ機能、ＦＡＸ機能）。又、ユーザ端末１００や相手方ＦＡＸ装置２００からの画像データに基づき印刷を行うこともできる（プリンタ機能、ＦＡＸ機能）。又、Ｉ／Ｆ部８４を利用し、ネットワーク内のサーバ３００と複合機１を接続できる。
【００３１】
図３は、本発明の実施形態に係る複合機１の操作パネル２の一例である。図３に示すように、複合機１の正面上方に設けられる操作パネル２は、テンキー部２１やスタートキー２２等の入力用の各種キーを備える。また、文字入力などの各種操作に対応した複数のキーの画像を表示する液晶表示部と、液晶表示部の表面に設けられた透明なタッチパネルとで構成されるタッチパネル装置２３を備える。タッチパネルとしては、抵抗膜方式や静電容量方式など各種方式のものを採用できる。
【００３２】
図４に、タッチパネル装置２３の表示例を示す。液晶表示部にパスワードを入力するためのキーボード配列のキーを含む各種キーの画像が表示され、タッチパネルにはそれぞれのキーの画像に重なるように反応領域（キーとして認識される領域）が形成されている。このキーボード配列を用いた入力方法は、電話帳登録の際の名前の入力や電子メールのコメントの入力などにも利用できる。
【００３３】
次に、タッチパネル装置２３の操作処理方法について説明する。図５は、タッチパネル装置２３の動作を示すフローチャートである。
【００３４】
ここでは、パスワードの入力を例に説明する。まず、ステップＳ１０において、図４に示した入力画面を表示する。キーボード配列で全てのキーが１画面中に表示されている状態である。
【００３５】
次にステップＳ１０からステップＳ１１へ進んで、タッチパネルにタッチされたかを検出する。タッチパネルの表面であればどの部分に触れられても検出できるものとする。
【００３６】
ステップＳ１１でタッチパネルにタッチされたことを検出した場合、ステップＳ１２へ進んで１つの反応領域内にタッチされたか否か、つまり１つのキーだけにタッチされたか否かを判別する。
【００３７】
ステップＳ１２において１つのキーだけにタッチされたと判別した場合は、ステップＳ１３へ進んでタッチされたキーと該キーに隣接するキーとを含む第１の所定数のキーを拡大して表示するとともに、タッチされたキーは他のキーと異なる色で表示する。これにより、ユーザは再度、拡大されたキーにタッチすることになるので、誤操作していないかどうかを確認しながら入力できる。また、タッチされたキーを異なる色で表示することにより、ユーザはどのキーにタッチしたか視認することができる。
【００３８】
例えば、第１の所定数が９であり、図６に破線領域で示すタッチ箇所６０にタッチされた場合は、タッチされているキーは「ｆ」だけであるので、図７に示すように、「ｆ」キーとこれに隣接する「ｅ」、「ｒ」、「ｔ」、「ｄ」、「ｇ」、「ｃ」、「ｖ」、「ｂ」キーを拡大して表示する。さらに、タッチされた「ｆ」キーは「ｅ」、「ｒ」、「ｔ」、「ｄ」、「ｇ」、「ｃ」、「ｖ」、「ｂ」キーと異なる色（図６では反転色）で表示する。
【００３９】
なお、第１の所定数は、タッチされたキーとタッチされたキーに隣接するキーの合計よりも大きければよく、図４のようなキー配列であれば９以上であればよい。この数は、予めユーザが任意の値を設定できるものとする。液晶表示部の表示領域は変わらないため、第１の所定数の値が大きくなるほどキーの拡大率は小さくなる。したがって、液晶表示部の大きさを考慮して所定数を決定すればよい。
【００４０】
例えば、第１の所定数が１２であるときは、タッチされたキーと該キーに隣接するキーと他の３つのキーとを拡大して表示することになる。他の３つのキーを決定する方法としては、例えばタッチ箇所から近いキーの順番に選べばよい。図６であれば、タッチ箇所６０が「ｆ」キーの上にはみ出しているので、「ｆ」、「ｅ」、「ｒ」、「ｔ」、「ｄ」、「ｇ」、「ｃ」、「ｖ」、「ｂ」キーを除くと、タッチ箇所６０から近い３つのキーは「＃」、「＄」、「％」であるので、それらのキーを合わせて１２のキーを拡大表示すればよい。
【００４１】
一方、ステップＳ１２において１つのキーだけにタッチされたのではないと判別した場合は、ステップＳ１４へ進んで複数の反応領域内にタッチされたか否か、つまり複数のキーにタッチされたか否かを判別する。
【００４２】
ステップＳ１４において複数のキーにタッチされたと判別した場合は、ステップＳ１５へ進んでタッチされた複数のキーを含む第２の所定数のキーを拡大して表示する。これにより、ユーザは再度、拡大されたキーにタッチすることになるので、誤操作を低減できる。
【００４３】
例えば、第２の所定数が９であり、図８に破線領域で示すタッチ箇所６１にタッチされた場合は、タッチされているキーは「ｒ」、「ｔ」、「ｆ」、「ｇ」の４つであるので、図９に示すように、「ｒ」、「ｔ」、「ｆ」、「ｇ」キーを含む９つのキーを拡大して表示する。「ｒ」、「ｔ」、「ｆ」、「ｇ」キー以外に拡大する５つのキーは、タッチ箇所から近いキーの順番に選べばよい。図８のタッチ箇所６１から近い５つのキーは、「ｒ」、「ｔ」、「ｆ」、「ｇ」キーを除くと、「ｅ」、「ｄ」、「ｃ」、「ｖ」、「ｂ」キーであるので、それらのキーを合わせて図９のようなキー表示とする。
【００４４】
なお、第２の所定数は、タッチされたキーよりも大きければよく、図４のようなキー配列であれば４以上であればよい。この数は、予めユーザが任意の値を設定できるものとする。液晶表示部の表示領域は変わらないため、第２の所定数の値が大きくなるほどキーの拡大率は小さくなる。したがって、液晶表示部の大きさを考慮して所定数を決定すればよい。例えば、第２の所定数が１２であるときは、図９の９つのキーに加え、タッチ箇所６１から近いさらに３つのキーである「＄」、「％」、「ｈ」を拡大表示する。
【００４５】
一方、ステップＳ１４において複数のキーにタッチされたのではないと判別した場合、つまりタッチパネルのキー以外の場所にタッチされた場合は、ステップＳ１６へ進んでタッチされた場所から最も近いキーを含む第３の所定数のキーを拡大して表示する。これにより、ユーザは再度、拡大されたキーにタッチすることになるので、誤操作を低減できる。
【００４６】
例えば、第３の所定数が９であり、図１０に破線領域で示すタッチ箇所６２にタッチされた場合は、キー以外の場所にタッチされているので、図１１に示すように、タッチされた場所から最も近い「ｚ」キーを含む９つのキーを拡大して表示する。「ｚ」キー以外に拡大する８つのキーは、タッチ箇所から近いキーの順番に選べばよい。図１０のタッチ箇所６２から近い８つのキーは、「ｚ」キーを除くと、「ｑ」、「ｗ」、「ｅ」、［ａ］、「ｓ」、「ｄ」、「ｘ」、「ｃ」キーであるので、それらのキーを合わせて図１１のようなキー表示とする。
【００４７】
なお、第３の所定数は、１以上であればよい。この数は、予めユーザが任意の値を設定できるものとする。液晶表示部の表示領域は変わらないため、第３の所定数の値が大きくなるほどキーの拡大率は小さくなる。したがって、液晶表示部の大きさを考慮して所定数を決定すればよい。例えば、第３の所定数が１２であるときは、図９の９つのキーに加え、タッチ箇所６２から近いさらに３つのキーである「！」、「”」、「＃」を拡大表示する。
【００４８】
次に、ステップＳ１３、Ｓ１５、Ｓ１６の何れからもステップＳ１７へ進んで１つの反応領域内にタッチされたか否か、つまり１つのキーだけにタッチされたか否かを判別する。
【００４９】
ステップＳ１７において１つのキーだけにタッチされたと判別した場合は、ステップＳ１８へ進んでそのタッチされたキーの入力を受け付ける。そして、ステップＳ１９へ進んで受け付けたキーが入力終了キー６３か否かを判別する。
【００５０】
ステップＳ１９において入力終了キー６３でないと判別した場合は、ステップＳ１０に戻る。すなわち、パスワードの入力の続きを受け付ける。一方、ステップＳ１９において入力終了キー６３であると判別した場合は、ステップＳ２０へ進んで入力が終了したもの認識する。その後、パスワードの照合等の処理を行う。
【００５１】
このように、狭い領域にキーが密集していても一度触れた部分の周辺を拡大表示することで、ユーザは大きなキーにタッチすればよくなるので、誤操作を低減し、使い勝手を良くすることができる。また、キーが拡大表示されるので、見やすくなるという効果もある。
【００５２】
なお、ステップＳ１３では、少なくとも、タッチされたキーと該キーに隣接するキーとを拡大して表示すれば、本発明の効果を得ることができる。
【００５３】
また、ステップＳ１５では、少なくとも、タッチされたキーを拡大して表示すれば、本発明の効果を得ることができる。
【００５４】
また、ステップＳ１６では、少なくとも、タッチされた場所から最も近いキーを拡大して表示すれば、本発明の効果を得ることができる。
【００５５】
なお、図４において示された、文字以外のキーである、矢印キー、後退キー、削除キー、中止キー、スペースキー、入力終了キーなどのキーにタッチされた場合は、拡大表示することなく入力を受け付けてもよい。キーが大きく表示されていたり、十分な間隔をもって配置されていたりするため、誤操作しにくいからである。
【産業上の利用可能性】
【００５６】
本発明のタッチパネル装置は、複写機、ファクシミリ装置、プリンタ、スキャナ及びそれらの複合機などの画像形成装置をはじめ、各種電気機器に搭載することができる。
【図面の簡単な説明】
【００５７】
【図１】本発明の複合機の模型的正面断面図である。
【図２】本発明の複合機の構成の一例を示すブロック図である。
【図３】本発明の複合機の操作パネルの一例である。
【図４】本発明のタッチパネル装置の表示例を示す図である。
【図５】本発明のタッチパネル装置の動作を示すフローチャートである。
【図６】本発明のタッチパネル装置の操作例を示す図である。
【図７】本発明のタッチパネル装置の拡大表示例を示す図である。
【図８】本発明のタッチパネル装置の操作例を示す図である。
【図９】本発明のタッチパネル装置の拡大表示例を示す図である。
【図１０】本発明のタッチパネル装置の操作例を示す図である。
【図１１】本発明のタッチパネル装置の拡大表示例を示す図である。
【符号の説明】
【００５８】
２３    タッチパネル装置
６０〜６２    タッチ箇所
【図１】
2010039614.tif 000003
【図２】
2010039614.tif 000004
【図３】
2010039614.tif 000005
【図４】
2010039614.tif 000006
【図５】
2010039614.tif 000007
【図６】
2010039614.tif 000008
【図７】
2010039614.tif 000009
【図８】
2010039614.tif 000010
【図９】
2010039614.tif 000011
【図１０】
2010039614.tif 000012
【図１１】
2010039614.tif 000013